(57)【要約】    【課題】      システム全体のスループットの向上、またユーザの目的に応じた携帯情報端末装置の提供、さらに基地局の送信電力を低減すること。    【解決手段】  ベースバンド決定部２０７では、通信品質情報及び基本性能情報に基づいて、送信ベースバンド部２０９における処理内容である変調方式や誤り訂正方式等が決定される。例えば、通信品質がよい場合、変調方式は基本性能が示す変調方式に決定される。スケジューリング部２０８では、通信品質情報、ＱｏＳ情報及び基本性能情報に基づいて、スケジューリングの割り当てが行われる。例えば、基本性能が優れた携帯情報端末には、より多くのスケジューリングが割り当てられる。また、電力決定部２１０では、通信品質情報及び基本性能情報に基づいて、携帯情報端末に送信する信号の送信電力が決定される。例えば、基本性能の優れた携帯情報端末には、少ない送信電力で送信することが決定される。  【選択図】      図２
2005039651.tif 000002
【特許請求の範囲】
【請求項１】
基地局装置と携帯情報端末装置とが無線通信を行う無線通信システムにおいて、
前記携帯情報端末装置は、
自装置の基本性能を検出する検出手段と、
前記検出手段によって検出された基本性能を前記基地局装置に通知する通知手段と、
を有し、
前記基地局装置は、
前記携帯情報端末装置から通知された基本性能に基づいて、前記携帯情報端末装置に送信する信号に通信処理を行う通信処理手段を具備することを特徴とする無線通信システム。
【請求項２】
通信相手である携帯情報端末装置から当該携帯情報端末装置の基本性能を示す情報を受信する受信手段と、
前記基本性能情報に基づいて、前記携帯情報端末装置に送信する信号の通信処理を行う通信処理手段と、
を具備することを特徴とする基地局装置。
【請求項３】
前記通信処理手段は、
前記基本性能情報に基づいて、前記携帯情報端末装置との間で伝送するデータパケットのタイムスケジュールを決定するスケジューリング手段と、
前記スケジューリング手段によって決定されたタイムスケジュールにしたがって、前記携帯情報端末装置に送信する信号のベースバンド処理を行うベースバンド手段と、
を具備することを特徴とする請求項２に記載の基地局装置。
【請求項４】
前記通信処理手段は、
前記基本性能情報に基づいて、変調方式、誤り訂正方式、キャンセラの有無、軟判定におけるビット数のうち、少なくとも１つのベースバンド処理内容を決定するベースバンド決定手段と、
前記ベースバンド決定手段によって決定されたベースバンド処理内容にしたがって、前記携帯情報端末装置に送信する信号のベースバンド処理を行うベースバンド手段と、
を具備することを特徴とする請求項２に記載の基地局装置。
【請求項５】
前記通信処理手段は、前記基本性能情報に基づいて、前記携帯情報端末装置に送信する信号の送信電力を制御する電力制御手段を具備することを特徴とする請求項２から請求項４のいずれかに記載の基地局装置。
【請求項６】
自装置の基本性能を検出する検出手段と、
前記検出手段によって検出された基本性能を通信相手である基地局装置に通知する通知手段と、
を具備することを特徴とする携帯情報端末装置。
【請求項７】
前記検出手段は、
自装置の無線性能を示す情報を記憶する記憶手段を具備し、
前記記憶手段に記憶された情報を検出することを特徴とする請求項６に記載の携帯情報端末装置。
【請求項８】
前記検出手段は、現時点における無線性能を検出することを特徴とする請求項６に記載の携帯情報端末装置。
【請求項９】
前記検出手段は、自装置のベースバンド性能を検出することを特徴とする請求項６から請求項８のいずれかに記載の携帯情報端末装置。
【発明の詳細な説明】
【技術分野】
【０００１】
本発明は、携帯情報端末装置と基地局装置とが無線通信を行う無線通信システムに関し、例えば、タイムスケジューリングの割り当て等に有用である。
【背景技術】
【０００２】
従来、基地局と携帯情報端末間の無線通信においては、無線リソースが限られているため、基地局が携帯情報端末及び基地局間の通信品質やＱｏＳ（Quality of Service）等に基づいて各携帯情報端末に対するタイムスケジューリングを割り当てることにより、無線通信回線を効率的に運用している(例えば、特許文献１又は特許文献２参照)。さらに、基地局と携帯情報端末との無線通信に要する送信電力は、通信品質に基づいて効率的に制御できるよう考えられている(例えば、特許文献３参照)。
【特許文献１】特開２００１−３３３０９７号公報
【特許文献２】特開２００２−７８０１２号公報
【特許文献３】特開２００２−１０１０４３号公報
【発明の開示】
【発明が解決しようとする課題】
【０００３】
しかしながら、上述した従来の無線通信システムでは、携帯情報端末の受信感度特性やＡ／Ｄ変換の分解能、変調方式といった基本性能の優れた携帯情報端末と基本性能の劣る携帯情報端末とを実現した場合、すなわち、基本性能に性能差を設けた携帯情報端末を実現した場合、従来の無線通信システムは、通信品質やＱｏＳに基づいてスケジューリングの割り当てを行っており、基本性能が優れた携帯情報端末と基本性能が劣る携帯情報端末とが同様にスケジューリングを割り当てられてしまい、基本性能が優れた携帯情報端末のスループットは良いが、基本性能が劣る携帯情報端末のスループットは悪いため、システム全体のスループットが低下する。
【０００４】
また、従来の無線通信システムでは、通信品質やＱｏＳに基づいて変調方式の決定を行うので、これらの携帯情報端末には同様な変調方式が割り当てられ、基本性能の優れた携帯情報端末に対してより効率的な無線通信を行うことができず、システム全体のスループットが低下してしまう。このため、基本性能が異なる携帯情報端末を実現することによる利点に乏しく、基本性能が異なる携帯情報端末が実現されていないため、携帯情報端末に搭載する部品の違いによるコスト削減や消費電力を削減することにより、ユーザの目的に応じた携帯情報端末を提供することができないという問題がある。例えば、携帯情報端末の基本性能を、無線通信を行う最低限の基本性能とすれば、安価で長時間使用可能な携帯情報端末を提供することができるが、従来はこのような携帯情報端末を提供することができない。
【０００５】
さらに、従来の無線通信システムで、基地局と携帯情報端末との間における無線通信の送信電力は通信品質により制御されているが、基本性能が優れている携帯情報端末と基本性能が劣る携帯情報端末とが同様な制御によって定められた送信電力で無線通信を行うため、基地局は基本性能が優れた携帯情報端末に必要以上の電力で無線通信することになり、基地局が送信電力を浪費してしまうという問題がある。
【０００６】
本発明はかかる点に鑑みてなされたものであり、システム全体のスループットの向上、またユーザの目的に応じた携帯情報端末装置の提供、さらに基地局の送信電力を低減することを目的とする。
【課題を解決するための手段】
【０００７】
かかる課題を解決するため、本発明の無線通信システムは、基地局装置と携帯情報端末装置とが無線通信を行う無線通信システムにおいて、前記携帯情報端末装置は、自装置の基本性能を検出する検出手段と、前記検出手段によって検出された基本性能を前記基地局装置に通知する通知手段と、を有し、前記基地局装置は、前記携帯情報端末装置から通知された基本性能に基づいて、前記携帯情報端末装置に送信する信号に通信処理を行う通信処理手段を具備する構成を採る。
【０００８】
この構成によれば、携帯情報端末装置の受信感度やＡ／Ｄ変換の分解能等の無線性能や、また携帯情報端末装置が対応可能な変調方式、誤り訂正方式、キャンセラの有無、軟判定のビット数等のベースバンド性能といった基本性能に基づいて、基地局装置が携帯情報端末装置に送信する信号に通信処理を行うことにより、基本性能に性能差を設けた携帯情報端末装置を提供することができると共に、基本性能の優れた携帯情報端末装置と効率よくデータ伝送を行うことができ、システム全体のスループットを向上させることができる。さらに、基本性能の優れた携帯情報端末装置は弱い送信電力で送信された信号でも受信することができるので、基地局装置の送信電力を低減することができる。
【０００９】
本発明の基地局装置は、通信相手である携帯情報端末装置から当該携帯情報端末装置の基本性能を示す情報を受信する受信手段と、前記基本性能情報に基づいて、前記携帯情報端末装置に送信する信号の通信処理を行う通信処理手段と、を具備する構成を採る。
【００１０】
この構成によれば、携帯情報端末装置の受信感度やＡ／Ｄ変換の分解能等の無線性能や、また携帯情報端末装置が対応可能な変調方式、誤り訂正方式、キャンセラの有無、軟判定のビット数等のベースバンド性能といった基本性能に基づいて、基地局装置が携帯情報端末装置に送信する信号に通信処理を行うことにより、基本性能の優れた携帯情報端末装置に効率よくデータ伝送を行うことができ、システム全体のスループットを向上させることができる。さらに、基本性能の優れた携帯情報端末装置は弱い送信電力で送信された信号でも受信することができるので、基地局装置の送信電力を低減することができる。
【００１１】
本発明の基地局装置は、上記構成において、前記通信処理手段が、前記基本性能情報に基づいて、前記携帯情報端末装置との間で伝送するデータパケットのタイムスケジュールを決定するスケジューリング手段と、前記スケジューリング手段によって決定されたタイムスケジュールにしたがって、前記携帯情報端末装置に送信する信号のベースバンド処理を行うベースバンド手段と、を具備する構成を採る。
【００１２】
この構成によれば、基地局装置が携帯情報端末装置との間で伝送するデータパケットのタイムスケジュールを携帯情報端末装置の基本性能情報に基づいて決定することにより、基本性能の優れた携帯情報端末装置に多くのスケジューリングを割り当てることができ、多くのデータを効率よく伝送することができ、システム全体のスループットを向上させることができる。
【００１３】
本発明の基地局装置は、上記構成において、前記通信処理手段が、前記基本性能情報に基づいて、変調方式、誤り訂正方式、キャンセラの有無、軟判定におけるビット数のうち、少なくとも１つのベースバンド処理内容を決定するベースバンド決定手段と、前記ベースバンド決定手段によって決定されたベースバンド処理内容にしたがって、前記携帯情報端末装置に送信する信号のベースバンド処理を行うベースバンド手段と、を具備する構成を採る。
【００１４】
この構成によれば、変調方式、誤り訂正方式、キャンセラの有無、軟判定におけるビット数のうち、少なくとも１つのベースバンド処理内容について、基地局装置が携帯情報端末装置の基本性能情報に基づいて決定することにより、例えば、基本性能の優れた携帯情報端末装置は変調多値数の高い変調方式を用いることができるので、データ伝送速度を向上させることができ、システム全体のスループットを向上させることができる。
【００１５】
本発明の基地局装置は、上記構成において、前記通信処理手段が、前記基本性能情報に基づいて、前記携帯情報端末装置に送信する信号の送信電力を制御する電力制御手段を具備する構成を採る。
【００１６】
この構成によれば、基地局装置が携帯情報端末装置に送信する信号の送信電力を携帯情報端末装置の基本性能情報に基づいて制御することにより、例えば、基本性能の優れた携帯情報端末装置は弱い送信電力で送信された信号でも受信することができるので、基地局装置の送信電力を低減することができる。
【００１７】
本発明の携帯情報端末装置は、自装置の基本性能を検出する検出手段と、前記検出手段によって検出された基本性能を通信相手である基地局装置に通知する通知手段と、を具備する構成を採る。
【００１８】
この構成によれば、携帯情報端末装置の基本性能に基づいて通信処理を行う基地局装置に、自装置の基本性能を通知することにより、携帯情報端末装置の基本性能に性能差を設けることができるので、ユーザの目的に応じた携帯情報端末装置を提供することができる。
【００１９】
本発明の携帯情報端末装置は、上記構成において、前記検出手段が、自装置の無線性能を示す情報を記憶する記憶手段を具備し、前記記憶手段に記憶された情報を検出する構成を採る。
【００２０】
この構成によれば、記憶手段に記憶された自装置の無線性能を示す情報を検出することにより、無線性能の検出に要する時間を短縮することができる。
【００２１】
本発明の携帯情報端末装置は、上記構成において、前記検出手段が、現時点における無線性能を検出する構成を採る。
【００２２】
この構成によれば、携帯情報端末装置は、製造時おける無線性能が使用に伴い変化するので、現時点における無線性能を検出し、検出された無線性能が基地局装置に通知されることにより、基地局装置は正確な無線性能に基づいて通信処理を行うことができる。
【００２３】
本発明の携帯情報端末装置は、上記構成において、前記検出手段が、自装置のベースバンド性能を検出する構成を採る。
【００２４】
この構成によれば、検出手段は、携帯情報端末装置が対応可能な変調方式、誤り訂正方式、キャンセラの有無、軟判定のビット数等のベースバンド性能を検出し、検出されたベースバンド性能が基地局装置に通知され、基地局装置が通知されたベースバンド性能に基づいて通信処理を行うことにより、ベースバンド性能の優れた携帯情報端末装置に効率的なデータ伝送を行うことができ、システム全体のスループットを向上させることができる。
【発明の効果】
【００２５】
以上説明したように、本発明によれば、携帯情報端末個々の基本性能に応じた通信処理を行うことにより、システム全体のスループットの向上と基地局消費電力の削減を図ることができる。また、これにより、携帯情報端末に性能差を設けてもシステム全体のスループットの低下を回避することができるので、省電力化やコスト削減などユーザの要求に応じた携帯情報端末を提供することができる。
【発明を実施するための最良の形態】
【００２６】
以下、本発明の実施の形態について図面を用いて説明する。
【００２７】
（一実施の形態）
図１は、本発明の一実施の形態に係る携帯情報端末の構成を示すブロック図である。この図において、入力部１０１は、携帯情報端末のユーザによりＱｏＳを選択するために必要な情報が入力され、入力された情報に基づいてＱｏＳが選択される。選択されたＱｏＳ情報がＱｏＳ記憶部１０２に出力される。
【００２８】
ＱｏＳ記憶部１０２は、入力部１０１から出力された携帯情報端末のＱｏＳ情報を記憶し、記憶したＱｏＳ情報をベースバンド部１０３に出力する。
【００２９】
ベースバンド部１０３は、ＱｏＳ記憶部１０２及び基本性能記憶部１０６から出力された情報に基づいて、基地局へ送信するデータに変調及び誤り訂正符号化等のベースバンド処理を行い、ベースバンド処理後の信号を通信部１０４に出力する。
【００３０】
通信部１０４は、ベースバンド部１０３から出力された信号にＤ／Ａ変換やアップコンバート、電力増幅等の無線処理を施し、無線処理後の信号を基地局に送信する。なお、ベースバンド部１０３及び通信部１０４は、通知手段として機能する。
【００３１】
基本性能検出部１０５は、ベースバンド部１０３のベースバンド性能や通信部１０４の無線性能を検出し、検出した基本性能を示す情報を基本性能記憶部１０６に出力する。なお、ベースバンド性能や無線性能の詳細については後述する。
【００３２】
基本性能記憶部１０６は、基本性能検出部１０５から出力された基本性能情報を記憶し、記憶した情報をベースバンド部１０３に出力する。これにより、基本性能情報を基地局に送信する。なお、基本性能検出部１０５及び基本性能記憶部１０６は、検出手段として機能する。
【００３３】
図２は、本発明の一実施の形態に係る基地局の構成を示すブロック図である。この図において、受信用通信部２０１は、携帯情報端末から送信された信号を受信し、受信した信号にダウンコンバートやＡ／Ｄ変換等の無線受信処理を施し、無線受信処理後の信号を受信ベースバンド部２０２に出力する。
【００３４】
受信ベースバンド部２０２は、受信用通信部２０１から出力された信号にデータの復調及び復号等の受信ベースバンド処理を行い、受信ベースバンド処理された信号を通信品質推定部２０３、ＱｏＳ記憶部２０５及び基本性能記憶部２０６に出力する。受信用通信部２０１及び受信ベースバンド部２０２は、受信手段として機能する。
【００３５】
通信品質推定部２０３は、受信ベースバンド部２０２から出力された信号に基づいて、通信品質を推定する。具体的には、基地局が受信した信号の受信電力、雑音、及び干渉電力からなる通信品質を推定する。推定された通信品質を示す情報は、通信品質記憶部２０４に出力され、記憶される。
【００３６】
ＱｏＳ記憶部２０５は、受信ベースバンド部２０２から出力された信号のうち、携帯情報端末のＱｏＳを示す情報を記憶する。
【００３７】
基本性能記憶部２０６は、受信ベースバンド部２０２から出力された信号のうち、携帯情報端末の基本性能を示す情報を記憶する。
【００３８】
ベースバンド決定部２０７は、通信品質記憶部２０４に記憶された通信品質情報と、基本性能記憶部２０６に記憶された基本性能情報とを読み出し、読み出した情報に基づいて、携帯情報端末に送信する信号の変調方式や誤り訂正方式等のベースバンド処理内容を決定する。決定されたベースバンド情報は送信ベースバンド部２０９に出力される。
【００３９】
スケジューリング部２０８は、通信品質記憶部２０４に記憶された通信品質情報と、ＱｏＳ記憶部２０５に記憶されたＱｏＳ情報と、基本性能記憶部２０６に記憶された基本性能情報とをそれぞれを読み出し、読み出した情報に基づいて、携帯情報端末に無線リソースを割り当てる順番や割り当てる頻度、割り当てる無線リソース量等を決定するスケジューリングを行う。スケジューリング情報は送信ベースバンド部２０９に出力される。
【００４０】
ベースバンド手段としての送信ベースバンド部２０９は、ベースバンド決定部２０７から出力されたベースバンド情報と、スケジューリング部２０８から出力されたスケジューリング情報とに基づいて、携帯情報端末に送信するデータに符号化及び変調等の送信ベースバンド処理を行い、送信ベースバンド処理された信号を送信用通信部２１２に出力する。
【００４１】
電力決定部２１０は、通信品質記憶部２０４に記憶された通信品質情報と、基本性能記憶部２０６に記憶された基本性能情報とを読み出し、読み出した情報に基づいて、携帯情報端末に送信する信号の送信電力を決定する。決定された送信電力情報は電力制御部２１１に出力される。
【００４２】
電力制御部２１１は、電力決定部２１０から出力された送信電力情報に基づいて、送信用通信部２１２の電力増幅器を制御する。なお、電力決定部２１０及び電力制御部２１１は、電力制御手段として機能する。
【００４３】
送信用通信部２１２は、送信ベースバンド部２０９から出力されたベースバンド信号を無線周波数の信号にアップコンバートし、アップコンバートされた信号の送信電力を電力制御部２１１の制御に従って増幅し、増幅された信号を携帯情報端末に送信する。ベースバンド決定部２０７、スケジューリング部２０８、送信ベースバンド部２０９、電力決定部２１０、電力制御部２１１、送信用通信部２１２は通信処理手段として機能する。ただし、通信処理手段は、ベースバンド決定部２０７、スケジューリング部２０８、電力制御手段（電力決定部２１０及び電力制御部２１１）のうち少なくとも１つでもよい。
【００４４】
ここで、携帯情報端末の基本性能について説明する。携帯情報端末の基本性能とは、基地局と無線通信を行う通信部の無線性能と、ベースバンド部のベースバンド性能とである。
【００４５】
具体的には、無線性能は受信感度やＡ／Ｄ変換の分解能であり、携帯情報端末の通信部に搭載される部品の品質により左右される。例えば、受信感度が良く、Ａ／Ｄ変換の分解能が高い通信部は無線性能が高いといえる。また、ベースバンド性能は、変調方式(例えば、ＢＰＳＫ(Binary Phase Shift Keying)、ＱＰＳＫ(Quadrature PSK)、８ＰＳＫ、１６ＱＡＭ(16 Quadrature Amplitude Modulation)、６４ＱＡＭなど)や誤り訂正方式(例えば、ターボ符号、ＢＣＨ(Base-Chaudhuri-Hocquenghem)符号、ＲＳ(Reed-Solomon)符号など)、キャンセラの有無、さらには軟判定のビット数などである。例えば、変調方式が６４ＱＡＭまで対応し、誤り訂正符号がターボ符号に対応し、キャンセラがあり、軟判定のビット数が多ければ、ベースバンド性能は高いといえる。
【００４６】
図３は、本発明の一実施の形態に係る携帯情報端末の基本性能を示す図である。ここでは、基本性能がそれぞれ異なる携帯情報端末Ａ、Ｂ、Ｃの３つの端末が基地局と無線通信を行う場合について説明する。基本性能は、上述したように無線性能とベースバンド性能とに分類される。そして、無線性能は、受信感度とＡ／Ｄ変換後のビット数（Ａ／Ｄ変換ビット数）で表される。以下、従来の携帯情報端末の基本性能を基準（基準値）として説明する。なお、Ａ／Ｄ変換後のビット数とＤ／Ａ変換前のビット数は等しい。
【００４７】
受信感度は基準値と等しければ０で表し、受信感度が基準値より優れているほど大きい数字で、受信感度が基準値より劣っているほど小さい数字で表す。また、Ａ／Ｄ変換ビット数は基準値と等しければ０で表し、基準値より多ければその多い分を数値で表し、基準値より少なければその少ない分を数値で表す。
【００４８】
ベースバンド性能は、変調方式、誤り訂正方式、キャンセラの有無、軟判定のビット数で表される。変調方式は、６４ＱＡＭ、１６ＱＡＭ、８ＰＳＫ、ＱＰＳＫ、ＢＰＳＫなどの種類を示す。変調方式が６４ＱＡＭの場合、６４ＱＡＭ、１６ＱＡＭ、８ＰＳＫ、ＱＰＳＫ、ＢＰＳＫの変調方式に対応する。また、ＱＰＳＫの場合、ＱＰＳＫ、ＢＰＳＫに対応し、６４ＱＡＭ、１６ＱＡＭ、８ＰＳＫには対応しない。
【００４９】
誤り訂正方式は、ターボ符号やＲＳ符号などの誤り訂正符号の種類を示す。キャンセラはキャンセラの有無(もしくは種類)を示す。軟判定のビット数は基準値と等しければ０で表し、それ以外は基準値に対する軟判定ビット数の差分値で表す。
【００５０】
図３の表は、各携帯情報端末Ａ、Ｂ、Ｃの基本性能を示す。携帯情報端末Ａは、基準より優れた性能が多く、基本性能の優れた携帯情報端末である。また、携帯情報端末Ｂは、基準とほぼ同等となる性能の携帯情報端末（従来の携帯情報端末に相当）であり、携帯情報端末Ｃは、基準より性能が劣っている携帯情報端末である。この各携帯情報端末の基本性能に性能差を設けることにより、携帯情報端末のコストを削減したり、省電力化を実現したりと、ユーザの目的に応じた携帯情報端末を提供することができきる。
【００５１】
次に、上述した構成を有する基地局の動作について説明する。以下、図３の条件を例に説明する。なお、携帯情報端末Ａ、Ｂ、Ｃの通信品質は非常に良く、同等なものとする。
【００５２】
基本性能記憶部２０６は、図３に示すように、携帯情報端末から送信された基本性能情報を各携帯情報端末と対応させて記憶している。
【００５３】
ベースバンド決定部２０７では、通信品質記憶部２０４から取得した通信品質情報と、基本性能記憶部２０６から取得した基本性能情報に含まれる変調方式、誤り訂正方式、軟判定のビット数に基づいて、携帯情報端末に送信する信号の変調方式や誤り訂正方式等の送信ベースバンド部２０９における処理内容が決定される。変調方式については、例えば、通信品質が良い場合は、変調方式はできるだけ大きい変調多値数を決定する。すなわち、基本性能が示す変調方式に決定する。具体的には、携帯情報端末Ａであれば６４ＱＡＭであり、携帯情報端末Ｂであれば１６ＱＡＭであり、携帯情報端末ＣであればＱＰＳＫである。
【００５４】
また、誤り訂正方式については基本性能の誤り訂正符号に決定し、軟判定のビット数については基準としているビット数と図３に示す軟判定のビット数との加算値（ビット数）に決定する。したがって、この時、基地局が行うベースバンド処理の内容は図４に示すものとなる。決定されたベースバンド処理の内容は、送信ベースバンド部２０９に通知される。
【００５５】
スケジューリング部２０８では、携帯情報端末に送信するデータについてスケジューリングが行われる。以下、具体的なスケジューリングについて、基本性能を考慮しない場合と考慮する場合とに分け、図５を用いて説明する。図５は、本発明の一実施の形態におけるスケジューリングの割り当ての様子を説明するための図である。なお、ここでは、ＱｏＳは携帯情報端末Ａと携帯情報端末Ｂが同等に高く、携帯情報端末Ｃは低いものとする。図５において、１〜１８はスケジューリングテンプレートを示し、各テンプレートは、基地局と携帯情報端末Ａ、Ｂ、Ｃとの単位時間当たりのデータパケットが伝送される順番を決定している。
【００５６】
図５（ａ）は、スケジューリングに基本性能を考慮しない場合を示す。スケジューリング部２０８は、携帯情報端末Ａ、Ｂ、Ｃそれぞれの通信品質が同等であり、ＱｏＳは端末ＡとＢが端末Ｃより高いので、端末ＡとＢにスケジューリングを多く割り当てる。このため、単位時間に送信されるデータパケット数の比は、図５（ａ）に示すように、Ａ：Ｂ：Ｃ＝７：７：４となる。
【００５７】
一方、図５（ｂ）は、スケジューリングに基本性能を考慮する場合を示す。スケジューリング部２０８は、通信品質記憶部２０４の通信品質情報と、ＱｏＳ記憶部２０５のＱｏＳ情報と、基本性能記憶部２０６の基本性能情報とに基づいてスケジューリングの割り当てを行う。端末Ａは端末Ｂより基本性能が優れており、端末Ｂは端末Ｃより基本性能が優れているので、端末Ａにはより多くのスケジューリングが割り当てられる。このため、単位時間に送信されるデータパケット数の比は、図５（ｂ）に示すように、Ａ：Ｂ：Ｃ＝１１：５：２となる。したがって、スケジューリングに基本性能情報を用いた場合には、基本性能が優れた携帯情報端末は割り当てが多く行われ、通信をいち早く終了させることができるので、効率的なデータ伝送を行うことができる。
【００５８】
このように、基本性能の優れた携帯情報端末に伝送効率の高い変調方式で送信し、また、スケジューリングの割り当ても多く割り当てることになるので、基本性能情報を利用しない場合に比べ、基本性能情報を利用してベースバンド処理内容の決定やスケジューリングの割り当てを行うことで、より多くのデータを効率的に伝送することができるので、システム全体のスループットを向上させることができる。
【００５９】
送信ベースバンド部２０９では、携帯情報端末に送信するデータが、ベースバンド決定部２０９で決定された誤り訂正方式と軟判定のビット数を用いてエンコードされ、エンコードされた信号は、ベースバンド決定部２０７で決定された変調方式で変調するなど、ベースバンド処理が行われる。ベースバンド処理が行われた信号は、送信用通信部２１２に出力される。
【００６０】
電力決定部２１０は、通信品質記憶部２０４の通信品質情報と、基本性能記憶部２０６の基本性能情報とに基づいて、携帯情報端末に送信する信号の送信電力を決定する。以下、送信電力の決定について図３及び図６を用いて説明する。
【００６１】
基地局の送信電力は通信品質情報より基準となる電力値が求められる。ここでは、携帯情報端末Ａ、Ｂ、Ｃの通信品質は非常に良く、同等なものとしているので、携帯情報端末Ａ、Ｂ、Ｃの基準電力は同等なものとなる。電力決定部２１０は、基本性能情報の無線性能の受信感度及びＡ／Ｄ変換ビット数と、ベースバンド性能のキャンセラの有無とに基づいて、現在の基準となる電力値に対する増減値を決定する。例えば、図６に基準となる電力値に加算する値を示す。受信性能が優れた携帯情報端末Ａは、基準電力値よりも５［ｄＢ］低い電力で無線通信を行っても誤りなく受信することができるのでスループットの低下は無く、受信性能が普通の携帯情報端末Ｂは基準電力とほぼ同等の電力（０［ｄＢ］）で無線通信を行い、受信性能が劣る携帯情報端末Ｃは基準電力よりやや強い電力（２［ｄＢ］）で無線通信を行うことで、スループットの安定を図る。これにより、基本性能の優れた携帯情報端末Ａには、基準電力値より低い電力で送信することができるので、基地局の送信電力を低減することができる。したがって、他の携帯情報端末に与える干渉も低減することができるので、システム全体のスループットの向上を図ることができる。
【００６２】
このように本実施の形態によれば、携帯情報端末の基本性能に基づいて、変調方式の決定、スケジューリングの割り当て、送信電力制御等の通信処理を行うことにより、基本性能の優れた携帯情報端末にはデータ伝送効率を高めることができるので、システム全体のスループットを向上させることができ、また、基本性能の優れた携帯情報端末は、弱い電力で送信された信号でも受信することができるので、基地局の送信電力を低減することができる。
【００６３】
なお、本実施の形態において、基本性能検出部１０５及び基本性能記憶部１０６は、検出手段として機能すると説明したが、本発明はこれに限らず、検出手段は、無線性能及び又はベースバンド性能を示す情報を記憶する記憶部を備え、記憶部に記憶された情報を検出するようにしてもよい。これにより、無線性能及び又はベースバンド性能の検出に要する時間を短縮することができる。
【００６４】
また、検出手段は、現時点における無線性能を検出するようにしてもよい。これにより、製造時における通信部の無線性能が使用に伴い変化することに対応し、正確な無線性能を検出することができる。
【００６５】
また、本実施の形態では、無線性能及びベースバンド性能についてそれぞれパラメータを例示したが、本発明はこれに限らず、多くのパラメータを含めてもよい。例えば、スケジューリングに使用するテンプレートの数や順序、送信電力の制御値などである。
【産業上の利用可能性】
【００６６】
本発明にかかる無線通信システム、基地局装置及び携帯情報端末装置は、携帯情報端末個々の基本性能に応じた通信処理を行うことにより、システム全体のスループットの向上と基地局消費電力の削減を図るという効果を有し、例えば、タイムスケジューリングの割り当て等に有用である。
【図面の簡単な説明】
【００６７】
【図１】本発明の一実施の形態に係る携帯情報端末の構成を示すブロック図
【図２】本発明の一実施の形態に係る基地局の構成を示すブロック図
【図３】本発明の一実施の形態に係る携帯情報端末の基本性能を示す図
【図４】基地局が行うベースバンド処理の内容を示す図
【図５】本発明の一実施の形態におけるスケジューリングの割り当ての様子を説明するための図
【図６】基準となる電力値に加算する値を示す図
【符号の説明】
【００６８】
１０１  入力部
１０２、２０５  ＱｏＳ記憶部
１０３  ベースバンド部
１０４  通信部
１０５  基本性能検出部
１０６、２０６  基本性能記憶部
２０１  受信用通信部
２０２  受信ベースバンド部
２０３  通信品質推定部
２０４  通信品質記憶部
２０７  ベースバンド決定部
２０８  スケジューリング部
２０９  送信ベースバンド部
２１０  電力決定部
２１１  電力制御部
２１２  送信用通信部
【図１】
2005039651.tif 000003
【図２】
2005039651.tif 000004
【図３】
2005039651.tif 000005
【図４】
2005039651.tif 000006
【図５】
2005039651.tif 000007
【図６】
2005039651.tif 000008